(57)【要約】【課題】部品点数の少ない防雨型コードリールの提供。【解決手段】中筒２０は、円筒状になっており、土台１０に回転可能に把持されている。そして、回転することによって円筒面にコード１００を巻き付けることができる。コンセント盤３０は、中筒２０の正面側に、表円盤４０を介して保持されている。コンセント盤３０と中筒２０との間は、Ｏリングによって防水されている。よって、中筒２０は、リール機能に加えて防水機能を持つことになるので、部品点数が少なくなる。【選択図】図１
0003150932.tif 000002
【実用新案登録請求の範囲】
【請求項１】
回転可能な状態で土台に支持されたリールを備え、
前記リールの巻き取り面に巻き取られる電気コードと前記リールの側面に設けられたコンセントとを導通する導通用部品が、前記リールの内部の閉空間に収容された防雨型コードリールであって、
前記リールは、前記閉空間の境界の一部であり、
前記閉空間は、水密になるように防水されている
ことを特徴とする防雨型コードリール。
【請求項２】
前記リールが回転によって前記土台と摺動する部位は、前記閉空間の外である
ことを特徴とする請求項１の防雨型コードリール。
【請求項３】
前記コンセントを有するコンセント盤を備え、
前記コンセント盤が前記リールの側面に取り付けられることによって、前記リールの側面に前記コンセントが設けられ、
前記コンセント盤は、前記閉空間の境界の一部となり、
前記コンセント盤と前記リールとの間は、防水されている
ことを特徴とする請求項１又は請求項２の防雨型コードリール。
【考案の詳細な説明】
【技術分野】
【０００１】
防雨型のコードリールに関する。
【背景技術】
【０００２】
コードリール（コンセントを備え、このコンセントに接続された電気コードを巻き取るための装置）は、屋外で用いる場合は法規上、防雨型（通電部に水がかからない構造になっているタイプ）を使用しなければならない。コードリールにはコードを巻き取る機能（リール機能）のための回転機構があるので、防水構造には数々の工夫が必要となる。例えば次のような物がある。それは、コンセント盤の端子に接続されたコードごとモールド樹脂によってモールドすることで接続部を防水し、このモールドされたコンセント盤を、リール機能を発揮する回転体（以下「リール」と言う）に嵌め込む、というものである（特許文献１・非特許文献１）。
【先行技術文献】
【特許文献】
【０００３】
【特許文献１】特許第３０５１７３８号公報
【非特許文献】
【０００４】
【非特許文献１】「ハタヤ総合カタログ」、畑屋製作所他、２００８年１０月、ｐ２１−ｐ２６
【考案の概要】
【考案が解決しようとする課題】
【０００５】
先述した防雨型コードリールの課題は、部品点数が多いことである。つまり、防水された部品が更にリールに収納されており、防水された部品が二重に覆われていることになる。本考案はこの課題に鑑み、部品点数の少ない防雨型コードリールの提供を目的とする。
【課題を解決するための手段】
【０００６】
この目的を達成するための請求項１の考案は、回転可能な状態で土台に支持されたリールを備え、リールの巻き取り面に巻き取られる電気コードとリールの側面に設けられたコンセントとを導通する導通用部品が、リールの内部の閉空間に収容された防雨型コードリールであって、リールは、閉空間の境界の一部であり、閉空間は、水密になるように防水されていることを特徴とする防雨型コードリールである。
【０００７】
この考案によれば、導通用部品そのものを防水仕様にすることなく防水効果を得ることができるので、部品点数を減らすことができる。例えば、モールド樹脂等が不要になる。
ところで、回転機構によって防水機能が低下する構造は望ましくない。そこで請求項２のようにすると良い。請求項２の考案は、リールが回転によって土台と摺動する部位は、閉空間の外であることを特徴とする請求項１の防雨型コードリールである。この考案によれば、摺動する部位において防水をする必要が無く、防水機能が低下する危険性が少なくなる。
【０００８】
請求項１又は請求項２の考案は、具体的には請求項３のようにすると良い。請求項３の考案は、コンセントを有するコンセント盤を備え、コンセント盤がリールの側面に取り付けられることによって、リールの側面にコンセントが設けられ、コンセント盤は、閉空間の境界の一部となり、コンセント盤とリールとの間は、防水されていることを特徴とする請求項１又は請求項２の防雨型コードリールである。
【図面の簡単な説明】
【０００９】
【図１】防雨型コードリールを示す図。
【図２】中筒を示す図。
【図３】表円盤を示す図。
【図４】コンセント盤を示す図。
【図５】防雨型コードリールの断面を示す図。
【考案を実施するための形態】
【００１０】
本考案の実施例を説明する。図１は、本考案が適用された防雨型コードリール１を示した図である。図１（ａ）は正面図、図１（ｂ）は右側面図である（コード１００のみ断面によって表示しているので、ハッチングが付いている）。両図に示すように防雨型コードリール１は、土台１０・中筒２０・コンセント盤３０・表円盤４０・裏円盤４５の各部品を備える。これら部品同士の構造的な関係は、後で詳しく述べる。そして、コンセント盤３０には、コンセントキャップ３１・コンセントベース３２・コンセント３３が三個ずつ、さらにブレーカー３４０・ブレーカーキャップ３４・ランプホルダー３５・電源パイロットランプ３６が取り付けられている。
【００１１】
土台１０は、金属製のパイプで作られたものであり、平面に安定して置けるようになっている。そして、中筒２０は、円筒状になっており、土台１０に回転可能に支持されている。そして、回転することによって円筒面（巻き取り面）にコード１００を巻き取ることができる。
【００１２】
また、図１（ｂ）に示すように、中筒２０は、正面−背面方向に伸びる軸線を持つ円筒のような形をした部品である。そして、中筒２０の正面側には表円盤４０が、背面側には裏円盤４５が、取り付けられている。また、表円盤４０及び裏円盤４５は、中筒２０の径よりも大きい径を持つ円盤状をしている。よって、中筒２０の円筒面に、コード１００を安定して巻き付けておくことができる。
【００１３】
そして、中筒２０の内部には水密の閉空間（以下「水密閉空間」という）がある。そして、この水密閉空間に、導通用部品が収納できるようになっている。この導通用部品は、コード１００と導通し、防水を必要とする物である（詳細は図２以降で説明）。
【００１４】
また、コード１００の抜け防止のために、中筒２０の円筒面の裏円盤４５の直ぐ近くに切欠き２３が三つ開いている。（ただし、図には一つしか見えていない。他の二つは、図１（ｂ）の奥、図１（ａ）で言うと左側に開いている。）
コンセント盤３０は、中筒２０と同じくらいの径を持つ円盤状をしている。そして、表円盤４０を介して、中筒２０の正面側に保持されている。（つまり、中筒２０とコンセント盤３０との間に、表円盤４０が挟み込まれている。）
コンセントキャップ３１及びコンセントベース３２は、コンセント３３を防水するためのものである。（その結果、コンセント３３を通じて水密閉空間に水が浸みることがなくなる。）具体的には次の通りである。コンセントベース３２は、コンセント３３の周りを取り囲んでいる。（当然、プラグ（図なし）の差し込みの邪魔にはならないようになっている。）そして、コンセント３３の不使用時には、コンセントベース３２に対して、コンセントキャップ３１を押し込んで嵌め込む。そうすると、樹脂製のコンセントキャップ３１とゴム製のコンセントベース３２は、互いに締め代を持つ寸法関係にあるので、隙間が塞がれて防水される。一方、コンセント３３の使用時には、コンセントベース３２とプラグとによって防水される。つまり、プラグがコンセントキャップ３１の代わりとなって防水機能を果たす。
【００１５】
ブレーカー３４０は、漏電を遮断するためのものであり、ツマミによって操作する。ブレーカーキャップ３４は、ブレーカー３４０を防水するものである。図１（ａ）は、ブレーカーキャップ３４がブレーカー３４０に覆い被さって防水している状態である。しかし、ブレーカーキャップ３４は透明なので、ブレーカー３４０が透けて見えている。コンセント盤３０に設けられた凹状の溝にパッキンが挿入されており、そのパッキンとブレーカーキャップ３４の凸形状部とが圧接されて防水する構造となっている。
【００１６】
ランプホルダー３５及び電源パイロットランプ３６は、図１（ａ）に示すように、コンセント盤３０の中央に配置される。電源パイロットランプ３６は、コンセント３３の通電状態を点灯／消灯で示す。そして、ランプホルダー３５は、電源パイロットランプ３６を保持する。ランプホルダー３５に取り付けられたＯリングが、コンセント盤３０とランプホルダー３５とで圧接されることで防水する構造となっている。次から、主要部品について説明していく。
【００１７】
図２は、中筒２０を示した図である。図２（ａ）は正面図、図２（ｂ）はＡ−Ａ断面図である。両図に示すように、中筒２０の中心部に、土台１０の一部としての挿入部１１（図５参照）を差し込むための小円筒２５が形成されている。小円筒２５は、中筒２０のシルエットを形成する外周としての円筒と軸線を共有する円筒であり、中筒２０の一部である。そして、土台１０の一部としての挿入部１１が小円筒２５に隙間を持って嵌ることで、中筒２０が土台１０に対して回転可能になる。
【００１８】
穴２４は、コンセント３３と接続したコード１００を通すためのものであり、穴２４とコード１００との隙間から水が浸みないように、周知技術で防水できるようになっている。穴２４を通ったコードは、切欠き２３を通って中筒２０の外周に巻き取られている（図１参照）。このように穴２４に防水機能を持たせるのは、水密閉空間が、中筒２０の正面側半分（図２（ｂ）の格子状の網掛部分）だからである。中筒２０、コンセント盤３０及びキャップ５０（図５参照）、並びにそれらの隙間を埋めるＯリング３７（図４参照）及びＯリング５１（図５参照）によって、正面側半分の部位が水密閉空間となる。
【００１９】
また、図２（ａ）に示すように、中筒２０の正面側には、三つのネジ穴２２が開いている。ネジ穴２２は、表円盤４０及びコンセント盤３０を、ネジ（図なし）によって固定するためのものである。
【００２０】
図３は、表円盤４０を示した図である。図３（ａ）は正面図、図３（ｂ）はＡ−Ａ断面図である。両図に示すように、表円盤４０は、中心がくり貫かれたような円盤状をしている。図３（ａ）に示すように、先述したネジを通すための穴４２が三つ開いている。
【００２１】
図４は、コンセント盤３０を示した図である。図４（ａ）は正面図、図４（ｂ）はＡ−Ａ断面図である。両図に示すように、コンセント盤３０は、円盤状をしている。また、図４（ａ）に示すように、コンセントベース３２を保持するための穴３１０と、ブレーカー３４０を保持するための穴３２０と、ランプホルダー３５を保持するための穴３３０が開いている。図４（ａ）に示すように、先述したネジを通すための穴３８が三つ開いている。また、図４（ｂ）に示すように、外周部に、押さえ部３９が形成されている。押さえ部３９は、中筒２０との間に表円盤４０を挟み込むための物である。そのために、コンセント盤３０の外周を取り囲むような形をしており、表円盤４０と接する部位は平らである。また、図４（ｂ）に示すように、Ｏリング３７を備える。Ｏリング３７は、組立の際にコンセント盤３０と中筒２０とを嵌め合わせたときに、コンセント盤３０と中筒２０との間を防水するためのものである。
【００２２】
以上で主要部品の説明を終える。中筒２０の外周部２１上に、表円盤４０・コンセント盤３０をこの順に重ね、三組のネジ穴２２とネジとによってこの三部品を結合させると、Ｏリング３７による防水機能によって、コンセント盤３０と中筒２０との間から水密閉空間に水が浸みることを防ぐことができる。より正確に言うと、コンセント盤３０及び表円盤４０の間から、並びに表円盤４０及び中筒２０の間から、水が浸みることを防ぐことができる。
【００２３】
図５は、防雨型コードリール１の右側面図の中央部を断面にした図である。先述したように、中筒２０が備える小円筒２５には、土台１０の一部としての挿入部１１が差し込まれる。そして、土台１０に対して中筒２０を回転可能にするために、挿入部１１と小円筒２５との間には隙間がある。よって、その隙間を通じて外部から水密閉空間に水が浸みるのを防ぐ必要がある。そこで、図５に示すようにキャップ５０を中筒２０の小円筒２５の外周に装着する。その際に、Ｏリング５１を間に挟む。そうすると、その隙間を通じて浸みてきた水は、水密閉空間には浸みることがない。
【００２４】
効果を述べる。中筒２０は、リール機能に加え、防水構造の一部として機能している。一つの部品が複数の機能を持てば、当然、部品点数が減ることになる。つまり、従来は中筒２０に防水機能が無かったので、配線部のモールド成形等が必要だったのに対して、防雨型コードリール１にはモールド成形等は不要となり、部品交換が容易に行える。また、キャップ５０は、摺動を避けて防水をしているので、防水機能の耐久性が高くなっている。
【００２５】
なお、中筒２０・コンセント盤３０・表円盤４０・裏円盤４５等その他の部品は、金属製でも良いし、樹脂（プラスチック）製でも何でも良い。また、実施例の中筒２０が実用新案登録請求の範囲のリールに、実施例の表円盤４０が実用新案登録請求の範囲の円盤に相当する。
【符号の説明】
【００２６】
１…防雨型コードリール、１０…土台、１１…挿入部、２０…中筒、２１…外周部、２２…ネジ穴、２３…切欠き、２４、３８、４２、３１０、３２０、３３０…穴、２５…小円筒、３０…コンセント盤、３１…コンセントキャップ、３２…コンセントベース、３３…コンセント、３４…ブレーカーキャップ、３５…ランプホルダー、３６…電源パイロットランプ、３７、５１…Ｏリング、３９…押さえ部、４０…表円盤、４１…シール面、４５…裏円盤、５０…キャップ、１００…コード
【図１】
0003150932.tif 000003
【図２】
0003150932.tif 000004
【図３】
0003150932.tif 000005
【図４】
0003150932.tif 000006
【図５】
0003150932.tif 000007